(57)【要約】  本発明はポンプ装置の技術分野に属し、従来の洗濯機のポンプ装置の機能が単一で、排水量が少ないという問題を解決することを目的とする。このため、本発明は、ポンプ室が形成され、ポンプ室に連通する入水口、第１排水口及び第２排水口が設置されたポンプ本体と、ポンプ室内に設置され、複数のブレードを含むインペラと、インペラに接続され、インペラを駆動して正逆回転させるための駆動部材と、を含み、ブレードは、インペラが第１方向に沿って回転する時に、第１圧力で第１排水口から排水でき、インペラが第２方向に沿って回転する時に、第２圧力で第２排水口から排水でき、第１圧力が第２圧力よりも大きいように構成されるポンプ装置及び該ポンプ装置が配置された洗浄機器を提供する。本発明のポンプ装置は、インペラのブレードを傾斜して設置することにより、シングルモータ駆動で異なる圧力の排水を実現し、ポンプ機能を増加させ、ハードウェアのコストを節約し、ユーザの体験を高める。
2021534343.tif 000002
【特許請求の範囲】
【請求項１】
ポンプ装置であって、前記ポンプ装置は、
ポンプ室が形成され、前記ポンプ室に連通する入水口、第１排水口及び第２排水口が設置されたポンプ本体と、
前記ポンプ室内に設置され、複数のブレードを含むインペラと、
前記インペラに接続され、前記インペラを駆動して正逆回転させるための駆動部材と、
を含み、
前記ブレードは、前記インペラが第１方向に沿って回転する時に、第１圧力で前記第１排水口から排水でき、前記インペラが第２方向に沿って回転する時に、第２圧力で前記第２排水口から排水でき、前記第１圧力が前記第２圧力よりも大きいように構成されることを特徴とするポンプ装置。
【請求項２】
前記インペラは、ホイールディスクをさらに含み、複数の前記ブレードが前記ホイールディスクの一側に設置され、前記ブレードが前記ホイールディスクのディスク面に対して前記第１方向に沿って傾斜して延在することを特徴とする請求項１に記載のポンプ装置。
【請求項３】
前記ブレードが前記ホイールディスクの半径方向に延在することを特徴とする請求項２に記載のポンプ装置。
【請求項４】
前記ホイールディスクに複数のバランス穴が開設され、及び／又は、前記ホイールディスク上の前記ブレードの反対側に補強リブがさらに設置されることを特徴とする請求項３に記載のポンプ装置。
【請求項５】
前記第１排水口の軸線と前記第２排水口の軸線が同一平面に設置されることを特徴とする請求項１に記載のポンプ装置。
【請求項６】
前記第１排水口の軸線が前記第２排水口の軸線に垂直であることを特徴とする請求項５に記載のポンプ装置。
【請求項７】
前記第１排水口と前記第２排水口との間のポンプ室に、前記第１排水口又は前記第２排水口から排水するように案内するための導流部材がさらに設置されることを特徴とする請求項６に記載のポンプ装置。
【請求項８】
前記ポンプ装置は、前記駆動部材と前記ポンプ本体とを接続するための接続部材をさらに含み、及び／又は、前記ポンプ本体にポンプベースとポンププラグがさらに接続されることを特徴とする請求項１に記載のポンプ装置。
【請求項９】
前記ポンプ本体に、前記ポンプ室に連通する残水口がさらに設置されることを特徴とする請求項１から８のいずれか一項に記載のポンプ装置。
【請求項１０】
洗浄機器であって、請求項１から９のいずれか一項に記載のポンプ装置が配置されることを特徴とする洗浄機器。
【発明の詳細な説明】
【技術分野】
【０００１】
本発明は、ポンプ装置の技術分野に関し、具体的には、ポンプ装置及び該ポンプ装置が配置された洗浄機器に関する。
【背景技術】
【０００２】
洗濯機の排水方法には２種類あり、１つは排水ポンプで廃水の高さを上げることで、排水過程が室内の床ドレンの位置に制限されない上排水である。現在、ドラム式洗濯機の多くは、いずれも上排水方式を採用し、それによって洗濯機を取り付けやすく、このため洗濯機の機体内に排水専用の排水ポンプが設置される。
【０００３】
洗濯物の洗浄度を向上させるために、洗濯機水受け槽内の洗濯水を循環的にポンプアウトして洗濯物に噴霧するように構成された水循環システムが配置されることが多いため、洗濯機に水循環を実現するための専用の循環ポンプが設置されることが多い。
【０００４】
排水ポンプであっても循環ポンプであっても、いずれもシングルモータにより駆動され、１つのポンプは単一の排水機能又は水循環機能しか実現できず、洗濯機に排水と水循環機能を同時に実現させるために、２種類のポンプを同時に配置する必要があり、それによって２種類のポンプ及びそれに接続された配管を配置するために、洗濯機内の限られたスペースを占有し、それによって洗濯機のコンパクト設計に役立たない。また、従来技術における排水ポンプと循環ポンプは水力性能が低く、揚水行程が低いため、排水過程に長い時間がかかる。
【０００５】
それに応じて、本分野は、上記問題を解決するために、新規なポンプ装置を必要とする。
【発明の概要】
【発明が解決しようとする課題】
【０００６】
従来技術における上記問題を解決するために、すなわち、従来の洗濯機のポンプ装置の機能が単一で、排水量が少ないという問題を解決するために、本発明の第１態様は、ポンプ室が形成され、前記ポンプ室に連通する入水口、第１排水口及び第２排水口が設置されたポンプ本体と、前記ポンプ室内に設置され、複数のブレードを含むインペラと、前記インペラに接続され、前記インペラを駆動して正逆回転させるための駆動部材と、を含み、前記ブレードは、前記インペラが第１方向に沿って回転する時に、第１圧力で前記第１排水口から排水でき、前記インペラが第２方向に沿って回転する時に、第２圧力で前記第２排水口から排水でき、前記第１圧力が前記第２圧力よりも大きいように構成されるポンプ装置を提供する。
【０００７】
上記ポンプ装置の好ましい技術的解決手段において、前記インペラは、ホイールディスクをさらに含み、複数の前記ブレードが前記ホイールディスクの一側に設置され、前記ブレードが前記ホイールディスクのディスク面に対して前記第１方向に沿って傾斜して延在する。
【０００８】
上記ポンプ装置の好ましい技術的解決手段において、前記ブレードが前記ホイールディスクの半径方向に延在する。
【０００９】
上記ポンプ装置の好ましい技術的解決手段において、前記ホイールディスクに複数のバランス穴が開設され、及び／又は、前記ホイールディスク上の前記ブレードの反対側に補強リブがさらに設置される。
【００１０】
上記ポンプ装置の好ましい技術的解決手段において、前記第１排水口の軸線と前記第２排水口の軸線が同一平面に設置される。
【００１１】
上記ポンプ装置の好ましい技術的解決手段において、前記第１排水口の軸線が前記第２排水口の軸線に垂直である。
【００１２】
上記ポンプ装置の好ましい技術的解決手段において、前記第１排水口と前記第２排水口との間のポンプ室に、前記第１排水口又は前記第２排水口から排水するように案内するための導流部材がさらに設置される。
【００１３】
上記ポンプ装置の好ましい技術的解決手段において、前記ポンプ装置は、前記駆動部材と前記ポンプ本体とを接続するための接続部材をさらに含み、及び／又は、前記ポンプ本体にポンプベースとポンププラグがさらに接続される。
【００１４】
上記ポンプ装置の好ましい技術的解決手段において、前記ポンプ本体に、前記ポンプ室に連通する残水口がさらに設置される。
【００１５】
当業者が理解できるのは、本発明の好ましい技術的解決手段において、インペラのブレードを傾斜して設置することにより、シングルモータ駆動で、ポンプ装置が異なる水圧で２つの排水口から排水できることを実現し、ポンプ機能を増加させ、排水と水循環の機能を同時に実現するだけでなく、さらにシングルモータのみで両口排水を実現し、ハードウェアのコストを節約し、ユーザの体験を高める。
【００１６】
本発明の第２態様は、上記いずれか一項の技術的解決手段に記載のポンプ装置が配置された洗浄機器をさらに提供する。
【００１７】
理解できるのは、本発明における洗浄機器は、上記ポンプ装置の全ての技術的効果を備え、ここでは説明を省略する。
【図面の簡単な説明】
【００１８】
【図１】ポンプ装置が各配管に接続される場合を示す本発明のドラム式洗濯機の構成模式図である。
【図２】本発明のポンプ装置の構成模式図である。
【図３】図２の正面模式図である。
【図４】図３のＡ−Ａ方向の断面模式図である。
【図５】本発明のポンプ装置のポンプ本体を除去した後の構成模式図である。
【図６】図５の側面模式図である。
【図７】図５の正面模式図である。
【図８】本発明のホイール構成模式図である。
【図９】図８の側面模式図である。
【図１０】図２のＢ−Ｂ方向の断面模式図である。
【発明を実施するための形態】
【００１９】
以下、図面を参照しながら、本発明の好ましい実施形態を説明する。当業者が理解できるのは、これらの実施形態は、本発明の技術原理を説明するためにのみ用いられ、本発明の保護範囲を限定するために用いられるものではない。例えば、下記実施形態は、ドラム式洗濯機に関連して説明したが、これは限定的なものではなく、本発明の技術的解決手段は、パルセータ式洗濯機、食器洗い機、洗濯乾燥機等の他の洗濯機器に同様に適用され、これらの適用対象の変更は、本発明の原理及び範囲を逸脱するものではない。
【００２０】
さらに、本発明をよりよく説明するために、以下の具体的な実施形態において、多くの具体的な詳細が示される。当業者が理解できるのは、ある具体的な詳細がない限り、本発明は同様に実施するこができる。一部の実例において、当業者が周知しているドラム式洗濯機における内外ドラムの動作、洗濯機の衝撃吸収機構等については、本発明の主旨を明らかにするために、詳細に説明されない。
【００２１】
背景技術に指摘された既存の洗濯機のポンプ装置の機能が単一で、排水量が少ないという問題に基づいて、本発明は、ポンプ装置の機能を増加させることによって、洗濯機に配置されたポンプの数量を減少し、ポンプ装置の排水時間を短縮することを目的とするポンプ装置を提供する。
【００２２】
図１から図１０を参照し、図１はポンプ装置が各配管に接続される場合を示す本発明のドラム式洗濯機の構成模式図であり、図２は本発明のポンプ装置の構成模式図であり、図３は図２の正面模式図であり、図４は図３のＡ−Ａ方向の断面模式図であり、図５は本発明のポンプ装置のポンプ本体を除去した後の構成模式図であり、図６は図５の側面模式図であり、図７は図５の正面模式図であり、図８は本発明のホイール構成模式図であり、図９は図８の側面模式図であり、図１０は図２のＢ−Ｂ方向の断面模式図である。
【００２３】
図１を参照し、ドラム式洗濯機１はハウジングを含み、外ドラム１５がハウジング内に設置され、内ドラムが外ドラム１５の内側に回転可能に設置され、外ドラム１５の上方とハウジングとの間の空間に、内外ドラム１５の衝撃吸収を実現するための吊りバネ１３が設置される。洗濯機１の前パネルに内ドラムの内部環境を観察するための観察窓１９が設置される。観察窓１９の周囲に、内周に複数のノズルが設置され、洗濯機１の循環管１６に連通する環状キャビティが設置され、それにより循環管１６から輸送された洗濯水をノズルによって内ドラム内の洗濯物に噴霧させることができる。
【００２４】
洗濯機１の左上角に洗剤を入れる洗剤ケース１２が設置され、右上角に制御パネル１１が設置され、ユーザは制御パネル１１に制御コマンドを入力することにより、洗濯機１を制御して異なるプログラムを実行させるとともに、制御パネル１１に表示された情報を観察することにより、洗濯機１のリアルタイムプロセスを了解する。洗濯機１に、給排水システムと循環システムが設置され、その上部に位置する水道水入水管１４から内ドラムに注水することができ、洗濯水は外ドラム１５の底部の排水口に接続された入水管１８からポンプ装置２のポンプ室２１４内に入ることができ、ポンプ装置２は、排水管１７、循環管１６及び入水管１８と同時に連通する。排水管１７の高さがＨであり、循環管１６の高さがＨ１であり、Ｈ＞Ｈ１、このため排水管１７に必要とする排水圧力が循環管１６の循環圧力よりも高い。
【００２５】
具体的には、図２を参照し、本発明のポンプ装置２は、ポンプ室２１４が形成され、その上にポンプ室２１４に連通して入水管１８に接続された入水口２１１と、排水管１７に接続された第１出水口２１２と、循環管１６に接続された第２出水口２１３が設置されたポンプ本体２１を含む。
【００２６】
図３と図４を参照し、該ポンプ装置２は、ポンプ室２１４内に設置され、具体的には、ポンプ本体２１内の排水室に設置されたインペラ２６をさらに含む。
【００２７】
図８を参照し、インペラ２６は、ホイールディスク２６１と、複数のブレード２６３とを含み、本実施例には４つのブレード２６３である。複数のブレード２６３がホイールディスク２６１の一側に設置される。
【００２８】
図２と図５を参照し、該ポンプ装置２は、インペラ２６に接続され、インペラ２６を駆動して正逆回転させるための駆動部材をさらに含む。本実施例における駆動部材は、接続部材を介してポンプ本体２１に固定して接続されたモータ２２であり、本実施例における接続部材はモータベース２３である。
【００２９】
ブレード２６３は、インペラ２６が第１方向に沿って回転する時に、第１圧力で第１排水口２１２から排水でき、インペラ２６が第２方向に沿って回転する時に、第２圧力で第２排水口２１３から排水でき、第１圧力が第２圧力よりも大きいように構成される。
【００３０】
具体的には、図７と図８を参照し、インペラ２６が時計回りに回転する方向を第１方向として、インペラ２６が反時計回りに回転する方向を第２方向とすれば、ブレード２６３は、ホイールディスク２６１のディスク面に対して時計回りに斜め上向きの方向に沿って延在し、すなわち、ブレード２６３が静止した状態に、ホイールディスク２６１の表面に位置するブレード２６３の下端縁のホイールディスク２６１のディスク面における投影位置は、ブレード２６３の上端縁のホイールディスク２６１のディスク面における投影位置よりも、第１方向上に後方に位置する。
【００３１】
図２、図７、図１０に関連して原理を述べる。図１０を参照し、インペラ２６が正転する時、すなわち、インペラが時計回りに回転する時、入水口２１１からポンプ室２１４に入った洗浄水は、まず、ホイールディスク２６１のディスク面に垂直な方向に沿ってインペラ２６に衝突し、インペラ２６が時計回りに回転し、ブレード２６３の上端縁は、第１方向に沿って水流を切断し、且つ水体を４つのブレード２６３の間に形成されたランナー内に遮断し、インペラ２６の回転に伴って、左下、右下、右上に位置する３つのランナーは第１出口２１２に順次連通し、これらの３つのランナーに遮断された水体は第１出口２１２を経て順次排出され、左上のランナーに遮断された水体の一部は第２排水口２１３に入る。第１排水口２１２の内径は、第２排水口２１３の内径よりもはるかに大きく、例えば、第１排水口２１２の内径は、第２排水口２１３の内径の２~３倍である。インペラ２６が絶えず回転し、水体が絶えず排出され、ランナー内に負圧が発生し、入水がさらに加速され、入水量が増加し、それにより排水量と排水圧力が増加する。排水過程において、大部分の水体が第１排水口２１２から排出されるので、第２排水口２１３に入る水が極めて少なく、ブレードの傾斜設置により排水量が倍増し、ひいては３倍以上増加するので、循環管に極めて少ない水が入っても速やかに排出され、従来技術に比べて排水速度が大幅に向上する。
【００３２】
引き続き図１０を参照し、インペラ２６が反転する時、すなわち、インペラが反時計回りに回転する時、左下、右下、右上に位置する３つのランナーは、インペラの回転過程において第２排水口２１３に順次連通し、ブレード２６３が傾斜するので、遮断された水体がブレード２６３のランナーの側壁、すなわち、ブレード２６３の表面に沿ってホイールディスク２６１のディスク面から離れる方向へ移動し、それにより入水とある程度の相殺が形成され、ポンプ装置２の入水量が減少し、さらに排水量が減少することによって、インペラ２６が反時計回りに回転する時に出力された水圧と水量は、いずれも時計回りに回転する時に出力された水圧と水量よりも低い。
【００３３】
インペラ２６が時計回りに回転する時、排水は水圧が高く、水量が多く、水体はインペラ２６の回転に伴って排水管１７と循環管１６に同時に入り、排水管１７の管径が循環管１６の管径よりも非常に太いため、高水圧出力状態で大量の水が排水管１７から機体の外に速やかに排出され、それにより洗濯機１の排水が加速され、排水効率が向上する。
【００３４】
インペラ２６が反時計回りに回転する時、排水は水圧が低く、水量が少なく、水体はインペラ２６の回転に伴って排水管１７と循環管１６に同時に入るが、水圧が低く、排水管１７に必要な排水水圧に達しないため、排水管１７内の水は循環管１６に一致する高さに達するとすぐに上昇を停止するので、水は第２排水口のみを介して循環管１６内に入ることで水の循環を実現する。
【００３５】
ここまで、本発明に提供されたポンプ装置２は、インペラ２６のブレード２６３の形状を改良することにより、シングルモータ２２駆動により、異なる水圧で２つの排水口から排水できることを実現し、ポンプ装置２の機能を増加させ、排水と水循環の機能を同時に実現し、ハードウェアのコストを節減するとともに、排水効率を向上させ、排水時間を短縮し、ユーザの体験を高める。
【００３６】
さらに、ブレード２６３は、ホイールディスク２６１の半径方向に延在する。図８を参照し、ブレード２６３の中軸線２６２がホイールディスク２６１の半径方向に一致し又は近接するので、インペラ２６の加工を容易にするとともに、ブレード２６３の水に対する作用力を大きくするこができ、それによりポンプの水力性能を向上させるこができる。
【００３７】
さらに、ホイールディスク２６１にホイールディスク２６１の両側の圧力をバランスするとともに、インペラ２６の運転時の騒音を低減させるための複数のバランス穴２６５が開設される。
【００３８】
さらに、ホイールディスク２６１上のブレード２６３の反対側にインペラ２６の強度を補強するための補強リブ２６４が設置される。
【００３９】
入水口２１１、第１排水口２１２、第２排水口２１３の管接続部に各管路への接続を容易にするためのねじ山が設置される。
【００４０】
第１排水口２１２の軸線と第２排水口２１３の軸線が同一平面に設置されるのは、スムーズな排出に役立つ。
【００４１】
さらに、図２と図３を参照し、第１排水口２１２の軸線が第２排水口２１３の軸線に垂直であり、それによってポンプ本体２１を取り付ける時に、第２排水口２１３に接続された循環管１６は、ポンプ本体２１に上下方向に接続可能であり、排水管１７に接続された第１排水口２１２が水平方向に沿って設置されるので、管路を介して洗濯機１のハウジングの角部に接続するこができ、それにより洗濯機１内の各部品をコンパクトに配置し、洗濯機１のコンパクト設計、小型化を図ることに役立つ。
【００４２】
なお、図１における排水ポンプが第１排水口を水平に設置する方式で構成されない。
【００４３】
さらに、第１排水口２１２と第２排水口２１３との間のポンプ室２１４に、第１排水口２１２又は第２排水口２１３から排水するように案内するための導流部材２１５がさらに設置される。図１０を参照し、インペラ２６が時計周りに回転する時、導流部材２１５の左側凸部が第２排水口２１３への水の流入を遮断し、第１排水口２１２から排水するように案内し、インペラ２６が反時計周りに回転する時、導流部材２１５の右側の凸部が第１排水口２１２への水の流入を遮断し、第２排水口２１３から排水するように案内する。
【００４４】
さらに、ポンプ装置２は、モータ２２とポンプ本体２１を接続するためのモータベース２３を含む。
【００４５】
また、ポンプ本体２１に、ポンプベース２４とポンププラグ２５がさらに接続される。ポンプベース２４は、ポンプ本体２１と一体構造にしてもよいし、分割構造に設置されてもよいし、本実施例におけるポンプベース２４とポンプ本体２１は一体構造である。
【００４６】
さらに、ポンプ本体２１に、ポンプ室２１４に連通する残水口２１６がさらに設置される。残水口２１６を設置することにより、ポンプ内に残留する残水をきれいに排出することに役立ち、それにより残水のポンプ本体２１への腐食を減少し、ポンプ装置２の寿命を延ばす。
【００４７】
本実施例において、正逆回転可能なモータ２２によってインペラ２６を駆動して回動させ、モータ２２はモータベース２３を介してポンプ本体２１に接続される。モータ２２が正逆回転を実現する方式は、１つのリレーでモータを制御してコンデンサに接続させる方法でモータ２２の正逆回転を実現し、又は、電子回路によってモータ２２の電極を制御する方法でモータ２２の正逆回転を実現し、又は、三相モータ、ブラシレスＤＣモータを採用してモータ２２の正逆回転を実現するなど、複数ある。
【００４８】
本実施例の第２態様は、前記ポンプ装置２が配置されたドラム洗濯機１をさらに提供し、それは前記ポンプ装置２の全ての技術的効果を含み、ここでは説明を省略する。
【００４９】
ここまで、本発明の技術的解決手段を図面に示された好ましい実施形態に関連して説明してきたが、当業者が容易に理解できるのは、本発明の保護範囲が明らかにこれらの具体的な実施形態に限定されない。本発明の原理を逸脱することなく、当業者は、関連する技術的特徴について同等の変更又は置換を行うことができ、これらの変更又は置換後の技術的解決手段は、すべて本発明の保護範囲に入る。
【符号の説明】
【００５０】
１：洗濯機、１１：制御パネル、１２：洗剤ケース、１３：吊りバネ、１４：水道水入水管、１５：外ドラム、１６：循環管、１７：排水管、１８：入水管、１９：観察窓、２：ポンプ装置、２１：ポンプ本体、２１１：入水口、２１２：第１排水口、２１３：第２排水口、２１４：ポンプ室、２１５：導流部材、２１６：残水口、２２：電動機、２２１：接続用端子、２３：モータベース、２４：ポンプベース、２５：ポンププラグ、２６：インペラ、２６１：ホイールディスク、２６２：中軸、２６３：ブレード、２６４：補強リブ、２６５：バランス穴
【図１】
2021534343.tif 000003
【図２】
2021534343.tif 000004
【図３】
2021534343.tif 000005
【図４】
2021534343.tif 000006
【図５】
2021534343.tif 000007
【図６】
2021534343.tif 000008
【図７】
2021534343.tif 000009
【図８】
2021534343.tif 000010
【図９】
2021534343.tif 000011
【図１０】
2021534343.tif 000012
【国際調査報告】
2021534343.tif 000013
2021534343.tif 000014
2021534343.tif 000015
2021534343.tif 000016
2021534343.tif 000017
2021534343.tif 000018